(57)【要約】【課題】容器に装着することで、容器に熱い飲料等が充填されていても把持しやすくすることのできる蓋を提供する。【解決手段】本発明の蓋１は、紙コップ２の開口部に装着する蓋であって、外周に前記紙コップ２の開口部の縁と嵌合する嵌合溝３を有する天板部４と、前記嵌合溝３の外周と連続して設けられ、前記天板部４に対して下方に向けて固定可能な取手部５とを備えることを特徴とする。【選択図】図１
2008189337.tif 000002
【特許請求の範囲】
【請求項１】
容器の開口部に装着する蓋であって、
外周に前記容器の開口部の縁と嵌合する嵌合部を有する天板部と、
前記嵌合部の外周と連続して設けられ、前記天板部に対して下方に向けて固定可能な取手部と、
を備えることを特徴とする蓋。
【請求項２】
前記取手部は、
前記嵌合部の外周から延出する延出部と、
前記延出部に対して対称に設けられ、下方に折り曲げられることによって一体の取手となる一対の取手形成部と、
を有することを特徴とする請求項１に記載の蓋。
【請求項３】
前記取手部と連続して形成され、前記容器の下部を支持する支持部をさらに備えることを特徴とする請求項１に記載の蓋。
【請求項４】
前記天板部には飲み口が設けられていることを特徴とする請求項１から３のいずれか１項に記載の蓋。
【発明の詳細な説明】
【技術分野】
【０００１】
本発明は、飲料等の容器の開口部に装着する蓋に関する。
【背景技術】
【０００２】
従来、紙コップ等の容器に熱い飲料や食品等を入れて飲食用に供する際には、そのままでは熱くて把持することが困難であるため、容器の表面に発泡層を設けて容器の側面に断熱性を付与することによって、熱い飲料等が入っていても把持しやすく構成されたものが提案されている（例えば、特許文献１参照）。
また、カップ麺やスープ、味噌汁などの、熱湯を注いで調理して食する食品用の容器として、カップ状容器を二重構造として断熱空間を持たせたものが広く採用されている（例えば、特許文献２参照。）。
【特許文献１】特許第３０１４６２９号公報
【特許文献２】実用新案登録第２５７１７９７号公報
【発明の開示】
【発明が解決しようとする課題】
【０００３】
しかしながら、上記特許文献１に開示された技術では、断熱効果が充分ではない。特に、８０℃以上の飲料等が入っている場合、特許文献１の容器でも熱くて把持することは困難である。このような場合、ある程度飲料等の温度が下がるまで、飲食ができず、飲料等の風味を充分楽しめない場合がある。
また、上記特許文献２に記載された容器は、比較的高い断熱性を有するものの、構造が複雑で高価であるという欠点がある。
【０００４】
本発明は上記事情に鑑みて成されたものであり、装着することで、容器に熱い飲料等が充填されていても把持しやすくすることのできる蓋を提供することを目的とする。
【課題を解決するための手段】
【０００５】
本発明の蓋は、容器の開口部に装着する蓋であって、外周に前記容器の開口部の縁と嵌合する嵌合部を有する天板部と、前記嵌合部の外周と連続して設けられ、前記天板部に対して下方に向けて固定可能な取手部とを備えることを特徴とする。
【０００６】
本発明の蓋を容器に装着して、取手部を天板部に対して下方に向けて固定すると、取手部を介して容器を持つことができる。
【０００７】
前記取手部は、前記嵌合部の外周から延出する延出部と、前記延出部に対して対称に設けられ、下方に折り曲げられることによって一体の取手となる一対の取手形成部とを有するものでもよい。
【０００８】
また、本発明の蓋は、前記取手部と連続して形成され、前記容器の下部を支持する支持部をさらに備えるものでもよい。さらに、前記天板部には飲み口が設けられていてもよい。
【発明の効果】
【０００９】
本発明の蓋によれば、取手部を持つことによって容器の側面を直接把持する必要がないため、熱い飲料等が容器に充填されていても、容器に装着することによって持ちやすくすることができる。
【発明を実施するための最良の形態】
【００１０】
以下、本発明の第１実施形態の蓋について、図１及び図２を参照して説明する。
図１は本実施形態の蓋１を紙コップ（容器）２に装着した状態を示す斜視図である。本実施形態の蓋１は、紙コップ等の容器の開口部に装着する蓋であって、外周に容器の開口部の縁と嵌合する嵌合溝（嵌合部）３を有する天板部４と、嵌合溝３の側壁と連続して設けられた取手部５とを備えて形成されている。
【００１１】
蓋１はポリスチレン、ポリプロピレン、ポリ塩化ビニル等の熱可塑性樹脂又はこれらの樹脂にフィラーを追加したものを、真空成形、圧空成形、真空圧空成形、あるいは射出成形等の公知の成形方法で加工することにより得ることができる。
【００１２】
天板部４は、天板上面６と、天板上面６の外周から下方に延出する天板側面７とを有して形成されている。天板上面６は紙コップ２の開口部を覆い、外周部８に比して中央部９が一段低く形成されている。中央部９より相対的に突出した外周部８の上面の一部は切り取られており、飲み口１０が設けられている。天板側面７の下端には嵌合溝３が設けられている。
【００１３】
図２は図１のＡ−Ａ線における断面図である。図２に示すように、嵌合溝３は嵌合突起１１と嵌合側壁１２とから形成される。嵌合突起１１は、天板側面７の下端から下方にわずかに延出した側面が上方に折り返されて、平面視環状に形成される。嵌合側壁１２は、嵌合突起１１の端部が下方に折り返されて形成されている。また、嵌合側壁１２の外側面には、断続的に係合凸部１３が内側に突出して設けられている。
【００１４】
取手部５は、飲み口１０に向かって右側の嵌合側壁１２から略水平に延出する略台形の水平部１４と、水平部１４の中心部が下方に袋状に落ち込んで形成された取手本体１５とから構成されている。
【００１５】
水平部１４は、蓋１を紙コップ２の開口部を確実に密閉するように、後述するように天板部４を紙コップ２の開口部に装着した際に、紙コップ２のリム１６より下方となる位置から延出するように形成される。
また、取手本体１５の長さは把持しやすくするために、少なくとも人間の指の横幅２本から３本分程度以上の長さに設定するのが好ましい。
【００１６】
上記のように構成された蓋１の使用時の動作について、以下に説明する。
図２に示すように、飲料等を充填した紙コップ２の開口部の縁に形成されたリム１６に対して、嵌合溝３が嵌合するように上から蓋１を押し付ける。
【００１７】
リム１６は嵌合側壁１２の側面に設けられた係合凸部１３を弾性変形させて乗り越え、さらに嵌合突起１１及び嵌合側壁１２を弾性変形させて、嵌合突起１１と嵌合側壁１２との間に嵌合する。このとき、係合凸部１３の上面にリム１６の下面が支持されて、図１に示すように蓋１が紙コップ２に確実に装着される。
【００１８】
この状態で、蓋１と一体となった紙コップ２を、取手本体１５を介して保持し、天板上面６に設けられた飲み口１０から紙コップ２の内容物を摂取することができる。
【００１９】
本発明の蓋１によれば、紙コップ２に装着することによって、嵌合側壁１２と連続して設けられた取手部５を介して紙コップ２を保持することができるため、紙コップ２の側面を直接把持する必要がなく、紙コップ２に熱い飲料等が充填されていても、容易に保持することができる。
【００２０】
また、紙コップ２の開口部を覆う天板部４が、紙コップ２から内容物がこぼれるのを防ぐため、蓋１を紙コップ２に装着することで、開口部を覆いつつ部品点数を増やさずに保持しやすくすることができる。
【００２１】
さらに、嵌合溝３の嵌合側壁１２の側面に係合凸部１３が設けられているため、蓋１が確実に紙コップ２に装着される。
また、天板上面６に飲み口１０が設けられているため、取手部５を介して紙コップ２を保持したままで、内容物を摂取することができる。
【００２２】
そして、容器に発泡層を形成しなくても、蓋１を装着するだけで、容器に熱い飲料等が充填されていても保持しやすくできるので、低コストで容器を保持しやすい構成にすることができる。
【００２３】
続いて、本発明の第２実施形態について図３及び図４を参照して説明する。第２実施形態と上述の第１実施形態との異なる点は、取手部の構成である。
なお、上述の第１実施形態と同様の構成要素には同一の符号を付し、重複する説明を省略する。
【００２４】
図３（ａ）は、本実施形態の蓋２１の平面図である。図３（ａ）に示すように、本実施形態の蓋２１の取手部２２は、飲み口１０に向かって右側の嵌合側壁１２の下端から略水平に帯状に延出する延出部２３と、延出部２３の幅方向両側にほぼ左右対称に設けられた一対の取手形成部２４Ａ及び２４Ｂとから構成されている。
【００２５】
各取手形成部２４Ａ、２４Ｂは、平面視において、延出部２３との境界線と、当該境界線と平行かつ延出部２３から離れた辺とをそれぞれ上底２５Ａ、２５Ｂ及び下底２６Ａ、２６Ｂとする略台形に形成されており、天板部に近い辺２７Ａ、２７Ｂは、嵌合溝３の外周に沿うように円弧状に形成されている。各取手形成部２４Ａ、２４Ｂには、上底２５Ａ、２５Ｂに沿って、ハーフカットによる罫線が設けられている。また、各取手形成部２４Ａ、２４Ｂの下底２６Ａ、２６Ｂの両端の角部は、丸みを帯びて形成されている。
【００２６】
また、各取手形成部２４Ａ、２４Ｂはそれぞれ延出部２３と同一平面をなす周縁部２８Ａ、２８Ｂと、下方に一段落ち込むように形成された中心部２９Ａ、２９Ｂとを有する。飲み口１０側の取手形成部２４Ａの中心部２９Ａの底面には、円柱状にさらに下方に落ち込んだ第１嵌合凹部３０が任意の箇所に設けられており、反対側の取手形成部２４Ｂの中心部２９Ｂの底面には、後述するように各取手形成部２４Ａ、２４Ｂを下方に折り曲げた際に、第１嵌合凹部３０と嵌合可能な位置に、第１嵌合凹部３０とほぼ同一の径で円柱状に上方に突出する第２嵌合凹部３１が設けられている。
【００２７】
上記のように構成された蓋２１の使用時の動作について、以下に説明する。
蓋２１を紙コップのリムに押し付けてリムを嵌合溝３に嵌合させる点は上述の第１実施形態と同様である。その後、図３（ｂ）に示すように、各取手形成部２４Ａ、２４Ｂを上底２５Ａ、２５Ｂに沿って下方に折り曲げると、それぞれの中心部２９Ａ、２９Ｂの底面が延出部２３の下方において接近する。
【００２８】
この状態で第１嵌合凹部３０を第２嵌合凹部３１に嵌合させると、各取手形成部２４Ａ、２４Ｂが一体となって天板部４の下方に固定され、図４に示すように、取手部２２を介して紙コップ２を保持可能となる。
【００２９】
本実施形態の蓋２１によれば、各取手形成部２４Ａ、２４Ｂは、下方に折り曲げられる前の状態において、実質的に中心部２９Ａ、２９Ｂの部分しか下方に突出していないので、上述の第１実施形態に比較して、平坦に蓋２１を形成することができる。従って、成形しやすく、かつ積み重ねることが容易で輸送や保管に適した形状に蓋２１を形成することができる。
【００３０】
また、各取手形成部２４Ａ、２４Ｂが第１嵌合凹部３０と第２嵌合凹部３１とを嵌合させることによって取手部２２が下方に向けて固定されるので、手を離しても保持しやすい形状に、取手部２２の形状を維持することができる。
【００３１】
さらに、図４に示すように、取手部２２を下方に固定した際に、取手形成部２４Ａ、２４Ｂの下底２６Ａ、２６Ｂの紙コップ側の角部３２Ａ、３２Ｂ（３２Ｂは不図示）が紙コップ２の側面に当接するため、取手部２２は、延出部２３が嵌合側壁１２から延出する部分と、角部３２Ａ、３２Ｂとの３点で紙コップ２を支持する。従って、より安定した状態で紙コップ２を保持することができる。
【００３２】
続いて、本発明の第３実施形態について図５から図８を参照して説明する。第３実施形態と上述の各実施形態との異なる点は、支持部をさらに備えている点である。
なお、上述の第１実施形態と同様の構成要素には同一の符号を付し、重複する説明を省略する。
【００３３】
図５は本実施形態の蓋４１の平面図である。図５に示すように、蓋４１は、天板部４と、飲み口１０に向かって右側の嵌合側壁１２の下端から略水平に延出して設けられた取手部４２と、取手部４２と連続して設けられた支持部４３とを備えて構成されている。
【００３４】
図６は、図５のＢ−Ｂ線における断面図である。取手部４２は、図６に示すように、側面視において、上部の角が丸みを帯びた略長方形に形成されており、飲み口１０に向かって前後に設けられた側面４４Ａ、４４Ｂと、嵌合側壁１２の下端と連続する上面４５とで形成されている。側面４４Ａ、４４Ｂには、天板部４に対して略垂直に、凹凸部が内側に突出して複数設けられている。
【００３５】
支持部４３は、上面４５の嵌合側壁１２と反対側の端部から略上方に延出して設けられており、帯状の部材が環状に形成された支持側壁４７と、支持側壁４７の上部に平坦に設けられて、使用時に紙コップの底面を支持する支持底面４８とから構成されている。
【００３６】
上記のように構成された蓋４１の使用時の動作について説明する。
まず蓋４１を図６に示す状態から反転させ、支持底面４８を下にする。紙コップ２の下部を支持底面４８と支持側壁４７とで形成された空間に挿入し、支持部４３上に紙コップ２を固定する。
【００３７】
紙コップ２の側面に取手部４２を沿わせて天板部４を上方に持ち上げてから、取手部４２の上面４５と嵌合側壁１２の境界部を折り曲げて天板部４を紙コップ２の開口部の上方に移動させ、上述した各実施形態と同様の操作で紙コップ２のリムと嵌合溝３とを嵌合させ、蓋４１を紙コップ２に装着する。
【００３８】
本実施形態の蓋４１によれば、支持部４３によって紙コップ２の下部が支持されるので、取手部４２によって一体となった天板部４と支持部４３とが紙コップ２を挟むように蓋４１が装着される。従って、紙コップ２の上部及び下部が支持固定されるので、取手部４２を持った際に、より安定した状態で紙コップ２を保持することができる。
【００３９】
また、取手部４２の側面４４Ａ、４４Ｂに設けられた凹凸部４６が滑り止めの効果を奏するため、取手部４２をより保持しやすく蓋４１を構成することができる。
【００４０】
本実施形態においては、支持部４３が支持側壁４７と支持底面４８とから構成される例を説明したが、支持部に支持底面を設けず、支持側壁のみで構成してもよい。この場合は、図８に示す変形例のように、環状の支持側壁（支持部）５７の内部に紙コップ２を通して、支持側壁５７の内径と紙コップ２の外径が略同一となった部分で支持部を紙コップ２に固定させる。
【００４１】
以上、本発明の実施形態について説明してきたが、本発明の技術範囲は上記実施の形態に限定されるものではなく、本発明の趣旨を逸脱しない範囲において種々の変更を加えることが可能である。
例えば上述の各実施形態においては、取手部に内側に凸の形状の凹凸部が設けられた例を説明したが、凹凸部の形状はこれらには限定されず、他の任意の形状を採用することができる。これによって、容器に装着された際のデザイン性を高めることができる。
【００４２】
また、上述の実施形態においては、取手部が１箇所に設けられているが、両手で保持できるように飲み口に対して左右２箇所に設けるように構成してもよい。
【００４３】
また、上述の各実施形態においては、紙コップに装着する例を説明したが、装着の対象となる容器はこれに限定されず、嵌合溝に開口部の縁が嵌合するものであれば、発泡スチロールや他の樹脂、金属等あらゆる材質の容器に装着して断熱性を向上させて把持しやすくすることが可能である。
【００４４】
また、対象となる容器は開口部が円形のものにも限定されず、対象容器の開口部と嵌合するように本発明の蓋を設計及び成形することで、あらゆる形状の開口部に装着可能に構成することができる。
【００４５】
さらに、上述の各実施形態においては、天板上面の一部が切り取られて飲み口が形成されている例を説明したが、これに代えて、スリットを設けるなどして、天板上面が大きく開き、容器の開口部とほぼ同じ大きさに開口するように蓋を形成してもよい。このようにすれば、固形の具材などを含む食品等が容器に充填されている場合でも、把持部を把持しつつ摂取することが可能である。
【図面の簡単な説明】
【００４６】
【図１】本発明の第１実施形態の蓋を紙コップに装着した状態を示す斜視図である。
【図２】図１のＡ−Ａ線における断面図である。
【図３】（ａ）は本発明の第２実施形態の蓋を示す平面図、（ｂ）は同実施形態の取手形成部を嵌合させる動作を示す正面図である。
【図４】同実施形態の蓋を紙コップに装着した状態を示す斜視図である。
【図５】本発明の第３実施形態の蓋を示す平面図である。
【図６】図５のＢ−Ｂ線における断面図である。
【図７】同実施形態の蓋を紙コップに装着した状態を示す斜視図である。
【図８】同実施形態の変形例の蓋を紙コップに装着した状態を示す斜視図である。
【符号の説明】
【００４７】
１、２１、４１…蓋、２…紙コップ（容器）、３…嵌合溝（嵌合部）、４…天板部、５、２２、４２…取手部、１０…飲み口、２３…延出部、２４Ａ、２４Ｂ…取手形成部、４３…支持部、５７…支持側壁（支持部）
【図１】
2008189337.tif 000003
【図２】
2008189337.tif 000004
【図３】
2008189337.tif 000005
【図４】
2008189337.tif 000006
【図５】
2008189337.tif 000007
【図６】
2008189337.tif 000008
【図７】
2008189337.tif 000009
【図８】
2008189337.tif 000010